【手続補正書】
【提出日】平成21年3月11日(2009.3.11)
【手続補正１】
【補正対象書類名】特許請求の範囲
【補正対象項目名】全文
【補正方法】変更
【補正の内容】
【特許請求の範囲】
【請求項１】
燃焼機関における使用のための潤滑油組成物であって、該組成物における硫黄総量が０．３質量％未満であることを条件に、
Ａ）本質的に
ａ）少なくとも一種のリン酸アンモニウムエステル；
ｂ）少なくとも一種のチオリン酸エステル；及び
ｃ）少なくとも一種のジチオリン酸誘導体；
から成る添加剤混合物；
Ｂ）少なくとも一種の硫黄含有油添加剤；
Ｃ）慣用のクランクケース油添加剤；及び
Ｄ）潤滑粘度の低硫黄油
を含む組成物。
【請求項２】
前記添加剤混合物Ａ）が、本質的に
ａ）式
【化１】
2008533291.tif 000001
（式中、
Ｒ1及びＲ2の一方は水素原子を表し、もう一方は炭素原子数１ないし２０の炭化水素基を表すか、又は
Ｒ1及びＲ2の両方が炭素原子数１ないし２０の炭化水素基を表し、及びＲa、Ｒb、Ｒc及
びＲdは互いに独立して水素原子又は炭素原子数６ないし２０の炭化水素基を表す。）で
表される少なくとも一種のリン酸アンモニウムエステル；
ｂ）式
【化２】
2008533291.tif 000002
（式中、
Ｒ1、Ｒ2及びＲ3は、炭素原子数３ないし２０の炭化水素基を表す。）で表される少なく
とも一種のチオリン酸エステル；及び
ｃ）式
【化３】
2008533291.tif 000003
（式中、
Ｒ1及びＲ2は、互いに独立して炭素原子数３ないし１８のアルキル基、炭素原子数５ないし１２のシクロアルキル基、炭素原子数９又は１０のビシクロアルキルメチル基、炭素原子数９又は１０のトリシクロアルキルメチル基、フェニル基又は炭素原子数７ないし２４のアルキルフェニル基を表し、又は
Ｒ1及びＲ2は一緒になって基
【化４】
2008533291.tif 000004
を表し、及び
Ｒ3は水素原子又はメチル基を表す。）で表される３−ジチオホスホリルプロピオン酸；
及び式
【化５】
2008533291.tif 000005
（式中、
Ｒ1及びＲ2は、前記式（ＩＩＩ）に関して定義される通りであり、及び
Ｒa、Ｒb、Ｒc及びＲdは互いに独立して水素原子又は炭素原子数６ないし２０の炭化水素基を表す。）で表されるジチオリン酸のアンモニウム塩からなる群から選ばれる少なくとも一種のジチオリン酸誘導体
から成る、請求項１記載の潤滑油組成物。
【請求項３】
前記添加剤混合物Ａ）が、本質的に
ａ）前記式（Ｉ）（式中、Ｒ1及びＲ2の一方は水素原子を表し、及びもう一方は炭素原子
数３ないし１８のアルキル基を表すか；又はＲ1及びＲ2の両方が炭素原子数３ないし１８のアルキル基を表し；及びＲa、Ｒb、Ｒc及びＲdは互いに独立して水素原子又は炭素原子数６ないし２０のアルキル基を表す。）で表される少なくとも一種のリン酸アンモニウムエステル；
ｂ）前記式（ＩＩ）（式中、Ｒ1、Ｒ2及びＲ3は互いに独立してフェニル基又は炭素原子
数７ないし２４のアルキルフェニル基を表す。）で表される少なくとも一種のチオリン酸エステル；及び
ｃ）前記式（ＩＩＩ）（式中、Ｒ1及びＲ2は炭素原子数３ないし１８のアルキル基を表し、及びＲ3は水素原子又はメチル基を表す。）で表される３−ジチオホスホリルプロピオ
ン酸、及び
前記式（ＩＶ）（式中、Ｒ1及びＲ2は炭素原子数３ないし１８のアルキル基を表し、及びＲa、Ｒb、Ｒc及びＲdは互いに独立して水素原子又は炭素原子数６ないし２０のアルキル基を表す。）で表されるジチオリン酸のアンモニウム塩からなる群から選ばれる少なくとも一種のジチオリン酸誘導体
から成る、請求項１記載の潤滑油組成物。
【請求項４】
前記添加剤混合物Ａ）が、本質的に
ａ）前記式（Ｉ）（式中、Ｒ1及びＲ2の一方は水素原子を表し、及びもう一方は炭素原子数３ないし９のアルキル基を表すか；又はＲ1及びＲ2の両方が炭素原子数３ないし９のアルキル基を表し；及びＲa、Ｒb、Ｒc及びＲdは互いに独立して水素原子又は炭素原子数１２ないし２０のアルキル基を表す。）で表される少なくとも一種のリン酸アンモニウムエステル；
ｂ）前記式（ＩＩ）（式中、Ｒ1、Ｒ2及びＲ3は互いに独立してフェニル基又は（炭素原
子数１ないし９のアルキル）1ナイシ3フェニル基を表す。）で表される少なくとも一種のチオリン酸エステル；及び
ｃ）前記式（ＩＩＩ）（式中、Ｒ1及びＲ2は２−メチルプロピル基を表し、及びＲ3はメ
チル基を表す。）で表される３−ジチオホスホリルプロピオン酸、及び
前記式（ＩＶ）（式中、Ｒ1及びＲ2はイソプロピル基を表し、及びＲa、Ｒb、Ｒc及びＲdは互いに独立して水素原子又は炭素原子数１２ないし２０のアルキル基を表す。）で表されるジチオリン酸のアンモニウム塩からなる群から選ばれる少なくとも一種のジチオリン酸誘導体
から成る、請求項１記載の潤滑油組成物。
【請求項５】
前記添加剤混合物Ａ）が、本質的に
ａ）前記式（Ｉ）（式中、Ｒ1及びＲ2の一方は水素原子を表し、及びもう一方は炭素原子数３ないし９のアルキル基を表すか；又はＲ1及びＲ2の両方が炭素原子数３ないし９のアルキル基を表し；及びＲa、Ｒb、Ｒc及びＲdは互いに独立して水素原子又は炭素原子数１２ないし２０のアルキル基を表す。）で表される少なくとも一種のリン酸アンモニウムエステル；
ｂ）前記式（ＩＩ）（式中、
Ｒ1、Ｒ2及びＲ3はフェニル基を表すか、又は
Ｒ1、Ｒ2及びＲ3の１つはフェニル基を表し及びＲ1、Ｒ2及びＲ3の２つが（炭素原子数１ないし９のアルキル）1ナイシ3フェニル基を表すか、又は
Ｒ1、Ｒ2及びＲ3の２つはフェニル基を表し及びＲ1、Ｒ2及びＲ3の１つが（炭素原子数１ないし９のアルキル）1ナイシ3フェニル基を表すか、又は
Ｒ1、Ｒ2及びＲ3が（炭素原子数１ないし９のアルキル）1ナイシ3フェニル基を表す。）
で表される少なくとも一種のチオリン酸エステル；及び
ｃ）前記式（ＩＩＩ）（式中、Ｒ1及びＲ2は２−メチルプロピル基を表し、及びＲ3はメ
チル基を表す。）で表される３−ジチオホスホリルプロピオン酸
から成る請求項１記載の潤滑油組成物。
【請求項６】
前記硫黄含有油添加剤Ｂ）が、
【化６】
2008533291.tif 000006
【化７】
2008533291.tif 000007
【化８】
2008533291.tif 000008
【化９】
2008533291.tif 000009
から成る群から選択されるジチオグリシジルエーテルである、請求項１記載の潤滑油組成物。
【請求項７】
前記硫黄含有油添加剤Ｂ）が、式
【化１０】
2008533291.tif 000010
[式中、Ｒ1はヒドロキシ基、アミノ基、メルカプト基、アルキルチオ基、２−ヒドロキシアルキルチオ基又はＲ2−Ｓを表し、及びＲ2は部分式
【化１１】
2008533291.tif 000011
（式中、Ｒ3は５０ないし４００個の炭素原子を有するアルキル基を表し、及びＲ4は水素原子又はメチル基を表す。）によって表されるポリオレフィン残基を表す。]で表される
ポリアルキル化１，３，４−チアジアゾール化合物である、請求項１記載の潤滑油組成物。
【請求項８】
添加剤組成物であって、
Ａ）本質的に
ａ）少なくとも一種のリン酸アンモニウムエステル；
ｂ）少なくとも一種のチオリン酸エステル；及び
ｃ）少なくとも一種のジチオリン酸誘導体；
から成る添加剤混合物；及び
Ｂ）硫黄含有油添加剤
を含む添加剤組成物。